(57)【要約】【課題】収納キャビネット内の機器配線の配線が容易にできる収納キャビネットの配線構造を提供することを課題とする。【解決手段】収納キャビネット１の配線構造であって、前記収納キャビネットは、キャビネット本体２内の奥方に上下方向に設けられたダクト部９と、前記キャビネット本体内に収納される電気機器７の機器配線７０が接続されるコンセント８とを有しており、該ダクト部に対して、前記コンセントが上下位置変更可能に取り付けられることを特徴とする。【選択図】図１
2010252856.tif 000002
【特許請求の範囲】
【請求項１】
収納キャビネットの配線構造であって、
前記収納キャビネットは、キャビネット本体内の奥方に上下方向に設けられたダクト部と、前記キャビネット本体内に収納される電気機器の機器配線が接続されるコンセントとを有しており、
該ダクト部に対して、前記コンセントが上下位置変更可能に取り付けられることを特徴とする収納キャビネットの配線構造。
【請求項２】
請求項１において、
前記ダクト部がキャビネット本体内の奥方角部に設けられていることを特徴とする収納キャビネットの配線構造。
【請求項３】
請求項１又は請求項２において、
前記コンセントが前記ダクト部に複数取り付け可能とされていることを特徴とする収納キャビネットの配線構造。
【発明の詳細な説明】
【技術分野】
【０００１】
本発明は、キャビネット本体に棚板を備えた収納キャビネットにおいて、収納キャビネットに収納される電気機器の配線構造に関する。
【背景技術】
【０００２】
従来より、ＡＶ（オーディオヴィジュアル）機器或いは照明器具などの電気機器を収納できる収納キャビネットとしては、電気機器の機器配線を体裁よく処理できるよう配線機能を持たせたものが知られている。
下記特許文献１には、ＡＶ機器用キャビネットが開示されており、ここには背板をキャビネットの後端よりやや前方に配置し、コンセントや機器配線を壁面と背板との間にできる空間に収容できるキャビネットが記載されている。また下記特許文献１には機器配線を引き込む円形の配線孔が、キャビネットの天板後端の中央にひとつ形成されているものが記載されている。これによれば、ＡＶ機器の機器配線を配線孔に引き込み、壁面と背板との間の空間に機器配線を収容できるので、機器配線が外からみえず外観のよいものとすることができる。
【先行技術文献】
【特許文献】
【０００３】
【特許文献１】特開２００１−８７５４号公報
【発明の概要】
【発明が解決しようとする課題】
【０００４】
機器配線の本数が少ない場合や配線孔のすぐ近くにＡＶ機器が置かれているような場合などは、特許文献１に記載のように配線孔が天板に１箇所設けられていれば十分である。
しかしながら、複数の電気機器が複数の棚板の上に収納されている場合は、ひとつの配線孔のみでは対応できず、またＡＶ機器が載置されている場所と配線孔が形成されているところが離れている場合は別途新たに配線孔を形成しなければならない。
【０００５】
そこで収納キャビネット内に電気機器への電力の供給源となるコンセントを設けたものがある。
しかしながらこの場合は、コンセントが設けられる位置が固定されるため、使い勝手が非常に悪いという問題がある。すなわち、収納キャビネット内にコンセントが設けられていても、そのコンセントが棚板の上に置かれた電気機器から離れた位置に設けられている場合は、コンセントがある場所まで電気機器の機器配線を引き込まなければならない。また１つの収納キャビネット内に１つのコンセントしか設けられていない場合は、収納キャビネット内に電気機器を複数載置すると１つのコンセントに複数の電気機器を接続することになる。これでは、いわゆるタコ足配線をする状況となってしまうため、収納キャビネットの外観性に影響を与えるだけでなく、漏電など安全性が問題となる。
【０００６】
本発明は、上記実情に鑑みなされたものであり、収納キャビネット内の機器配線の配線が容易にできる収納キャビネットの配線構造を提供することを課題とする。
【課題を解決するための手段】
【０００７】
請求項１の発明に係る収納キャビネットの配線構造は、前記収納キャビネットは、キャビネット本体内の奥方に上下方向に設けられたダクト部と、前記キャビネット本体内に収納される電気機器の機器配線が接続されるコンセントとを有しており、該ダクト部に対して、前記コンセントが上下位置変更可能に取り付けられることを特徴とする。
ここでいう電気機器は電力の供給を要する機器をいい、上述のＡＶ機器や照明器具に限らず、端末装置、プリンタなどであってもよい。
【０００８】
本発明において、前記ダクト部がキャビネット本体内の奥方角部に設けられているものとしてもよい。
【０００９】
また本発明において、前記コンセントが前記ダクト部に複数取り付け可能とされているものとしてもよい。
【発明の効果】
【００１０】
本発明に係る収納キャビネットの配線構造によれば、ダクト部に対して、前記コンセントが上下位置変更可能に取り付けられるので、キャビネット本体内における機器配線の配線が容易になる。すなわち、電力供給のためのコンセントをダクト部の任意の場所に取り付けることができるので、例えば電気機器の近傍にコンセントを取り付ければ、機器配線を遠く離れたコンセントまで引き込む必要がない。よって機器配線の配線の仕方や機器配線の長さなどを必要以上に考慮なく、機器配線の接続作業を行うことができる。
また、例えば収納キャビネット内に複数の棚板が設けられている場合或いは棚板の高さ位置が変更な場合でも、棚板が設けられている高さ位置に応じてコンセントの取り付け位置を変えることができる。
【００１１】
本発明において、前記ダクト部がキャビネット本体内の奥方角部に設けられているものとしてもよい。これによれば、キャビネット本体内の奥方角部にダクト部が設けられているので、収納キャビネットを手前側からみたときダクト部が目立たず、またダクト部がキャビネット本体内に収容された収容物の邪魔にならない。
【００１２】
本発明において、コンセントが前記ダクト部に複数取り付け可能とされているものとしてもよい。
これによれば、キャビネット本体内に収納される電気機器の機器配線の数に応じてコンセントをダクト部の任意の場所に複数取り付けることができる。すなわち、キャビネット本体内に複数のコンセントを設けることができるので、キャビネット本体内に複数の電気機器を収納した場合、タコ足配線としなくても、機器配線の本数だけコンセントを設けることができる。
よって複数の電気機器を収納した場合でも、機器配線の配線をすっきりと構成でき、タコ足配線をする必要がないので、漏電などのおそれがないものとすることができる。
【図面の簡単な説明】
【００１３】
【図１】本発明に係る収納キャビネットの配線構造における実施形態を模式的に示す概略縦断面図であり、図４のＸ−Ｘ線断面図である。
【図２】同収納キャビネットの配線構造で採用されるダクト部及びコンセントの構成を示す概略部分斜視図である。
【図３】同収納キャビネットの配線構造を模式的に示す概略横断面図であり、図１のＹ―Ｙ線断面図である。
【図４】同収納キャビネットの配線構造が採用されたシステムキャビネットの全体斜視図の一例である。
【発明を実施するための形態】
【００１４】
以下に本発明の実施の形態について、図面に基づいて説明する。
なお、以下の実施形態において指す前後方向は、収納キャビネットの正面で対面した使用者を基準に手前側を前、奥側を後とし、その前後方向に直交する方向を左右方向として説明する。
【００１５】
本発明の実施形態について図１〜図４を参照しながら説明する。
本実施形態に係る収納キャビネット１（ユニットキャビネット）は、高さの異なる２個の収納キャビネット１によりシステムキャビネットＳを構成し、それぞれの収納キャビネット１は互いに隣合う側板２１が接するよう壁面１１に沿って床面１０の上に設置される。高さの高い収納キャビネット１（図４の紙面右側）の上方は、開閉自在に構成された扉体５を備えた収納部、その下方は扉体のない前方が開口され棚板４を備えたオープンラック式の収納部となっている。高さの低い収納キャビネット１（紙面左側）は、棚板４を備えたオープンラック式の収納部で構成されている。上述のそれぞれの収納部は、ＤＶＤデッキ、アンプ、スピーカーなどのＡＶ機器や照明器具などの電気機器の他、本や小物などが収納できる収納空間となっており、その構成は図例に限らず引出しを備えたものとしてもよいし、左右方向に空間を仕切る仕切板を備えたものとしてもよい。
【００１６】
以下では高さの低い方の収納キャビネット１に基いて、本実施形態を説明するが、図４に示すように高さの高い方の収納キャビネット１にも、配線受け部６及びダクト部９が設けられており、本実施形態の配線構造が適用可能であることはいうまでもない。
そして、ここでは説明のため、電気機器７に電力の供給を受けるための配線を機器配線といい、接続された電気機器７に電力を供給するためのコンセント８の配線をコンセント配線８０という。また、電気機器７へ電力供給を行う一例として、コンセント配線８０を壁面１１などに設けられるコンセント（不図示：一次電源）に接続することにより、コンセント８に接続された電気機器７に電力の供給を行う例を説明するが、この構成に限定されるものではない。
【００１７】
収納キャビネット１のキャビネット本体２は、上部に配された天板２０、左右に配された側板２１と、背面側に配された背板２２と、底部に配された底板２３とを備えて構成され、前方に開口する箱状とされている。底板２３の下部領域には台輪部２４が構成されており、底板２３、台輪部２４、背板２２の台輪部領域及び床面１０とにより台輪部２４内は、空洞スペース２５が形成されている。天板２０の上には、カウンター３が載置されており、カウンター３は、キャビネット本体２の左右幅に合わせて形成され、集成材或いは無垢の木などからなる木質材料の板体で構成される。
キャビネット本体２内には電気機器７に電力を供給するためのコンセント８と、コンセント８が取り付けられるダクト部９とが設けられている。ダクト部９内に這わせたコンセント配線８０は、ダクト部９の下端から台輪部２４の空洞スペース２５内を引き込まれ、背板２２の台輪部領域に形成された壁側取り出し口２２ａから壁面１１などに設けられたコンセントへと配線される。
【００１８】
図１では壁面１１などに設けられるコンセントを図示しておらず、収納キャビネット１は壁面１１との間に若干の隙間を持たせて設置されているように示しているが、これに限定されるものではない。例えば上記壁側取り出し口２２ａから壁面１１に設けられた一次電源となるコンセントが露出している場合は、壁面１１に収納キャビネット１の背板２２が接するように設置することができる。また背板２２の下端が床面１０まで形成されておらず、背板２２の下部全域が壁側取り出し口を構成するような場合は、背板２２の下方が開口状態になる。よってこの開口部分にコンセントが露出している場合も壁面１１に収納キャビネット１の背板２２が接するように設置することができる。
【００１９】
キャビネット本体２内には、キャビネット本体２内を上下に仕切る一枚の棚板４が設けられ、上段部４０と下段部４１とを構成している（図１、図４参照）。図例のものは上段部４０を構成する棚板４の上と下段部４１を構成する底板２３の上に電気機器７がそれぞれ置かれている。
棚板４は、該棚板４の奥行き寸法がキャビネット本体２の奥行き寸法の内寸より短く形成されており、このように形成された棚板４は、その前端縁４ｂが側板２１の手前側と略面一となるよう設置される。これにより、棚板４の後端縁４ａの後方に形成された空間には、棚板４の上に置かれた電気機器７の機器配線７０を受ける配線受け部６が設けられる。そしてキャビネット本体２内の奥方角部には、上下方向にダクト部９が設けられ、該ダクト部９には、上段部４０の電気機器７及び下段部４１の電気機器７のそれぞれに電力の供給を行うために機器配線７０が接続されるコンセント８が上下に１個ずつ、計２個取り付けられている。
【００２０】
ここでは固定式の棚板４の例を示しているが、これに限定されず、側板２１の上下方向に複数の孔部を設け、そこにダボ（不図示）を挿入して棚板４の高さ位置が可変可能に取り付けられるものとしてもよい。棚板４の数も１枚に限定されず複数枚の棚板４を設けたものとしてもよい。
このような場合も、ダクト部９が上下方向に設けられているので、コンセント８を棚板４の高さ位置に応じてコンセント８の取り付け位置を上下方向に変えることができる。よって棚板４の枚数、電気機器７の数に応じてコンセント８の数も増設することができ、キャビネット本体２内のどこからでもコンセント８から電力の供給を受けることができる。
【００２１】
配線受け部６は、棚板４の後端縁４ａに沿うよう横長に形成され、断面形状が凹型のレール部材とされる。図３に示すように配線受け部６は、前側部６０と、後側部６１と、凹所６２とを備えており、前側部６０が棚板４の後端縁４ａに接するように取り付けられる。取り付け方法は特に限定されるものではないが、接着剤或いは両面テープなどで接着してもよいし、ビスなどで固着してもよい。また図例のように棚板４が固定式の場合は、背板２２側に配線受け部６が固着されていてもよい。
配線受け部６の設置状態における左右幅の寸法（長手方向の寸法）は、棚板４の左右幅と同一ではなく、後端縁４ａの後方に形成される空間の角部にダクト部９が配設されるため、ダクト部９が設置される空間が残せるように形成される。すなわち、棚板４の左右幅からダクト部９の設置スペース幅を除いた幅が配線受け部６の左右幅の寸法となる（図３参照）。
前側部６０及び後側部６１は、棚板４の厚み寸法と略同寸法に形成され、棚板４の手前側からは配線受け部６が目立たないように形成されている。
配線受け部６の凹所６２には、配線受け部６に引き込んだ電気機器７の機器配線７０を集約することができる。
よって、図３に示すように余剰した機器配線７０を配線受け部６にまとめて収容することができ、棚板４の上をすっきりと構成することができる。
なお、ここでは上段部４０にのみ配線受け部６を設けた例について図示し説明しているが、下段部４１にも配線受け部６を設けてもよいことはいうまでもない。
【００２２】
次にダクト部９及びコンセント８の構成について説明する。
上述したようにキャビネット本体２内に設けられた棚板４の後端縁４ａの奥方角部には、上下方向に延びるダクト部９が設けられ、該ダクト部９には、電気機器７に電力の供給を行うために機器配線７０が接続されるコンセント８が上下位置変更可能に且つ、コンセント８を複数取り付け可能とされている。
図３のＡ部拡大図は、コンセント８と機器配線７０の先端に設けられたプラグ７１との接続関係を説明するため、プラグ７１をコンセント８に差し込む前の状態を示している。図中、７１ａはプラグ７１の刃、８ａはコンセント８の差込口を示している。
【００２３】
図２に示すようにダクト部９は、断面形状が中空の角柱状に形成されており、コンセント８を嵌め込むために一側面に上下方向（長手方向）に形成された開口部分に向かって内向に折曲形成された内向鍔部を備えたダクト本体９３と、ダクト本体９３の開口部分を塞ぐカバー９１とを備えている。ダクト本体９３の長手方向に形成された上述の開口部分は、上述のカバー９１とコンセント８とが着脱自在に嵌め込まれる嵌め込み溝９２となっている。ダクト本体９３は、嵌め込み溝９２に嵌め込まれたコンセント８のコンセント配線８０をダクト部９の下端から台輪部２４の空洞スペース２５内に引き込めるよう中空部９０を備えている。ダクト部９は、棚板４の後端縁４ａの後方に形成される空間の角部に配設され、ダクト部９の角部が側板２１及び背板２２とで構成される角部に接するように設け、その接する面は接着剤或いはビスなどで固着される。このように、ダクト部９はキャビネット本体２の奥方角部に上下方向に設けられるので、コンセント８をダクト部９の任意の場所に上下位置変更可能に取り付けることができる。
【００２４】
ダクト部９に取り付けたコンセント８のコンセント配線８０は、図１に示すようにダクト部９内をつたってダクト部９の下端から空洞スペース２５内に引き込まれるように配線される。ここでは上段部４０及び下段部４１に電気機器７が置かれているため、コンセント８が２個設けられている。
よって図１に示すように２本のコンセント配線８０がダクト部９の下端から空洞スペース２５内に引き込まれ、壁側取り出し口２２ａから壁面１１などに設けられたコンセントへと配線される。
【００２５】
これによれば、キャビネット本体２内の奥方角部にダクト部９が設けられているので、収納キャビネット１を手前側からみたときダクト部９が目立たず、ダクト部９がキャビネット本体２に収容された収容物の邪魔にならない。またこれによれば、電力供給のためのコンセント８をダクト部９の任意の場所に取り付けることができる。よって、図３に示すように配線受け部６の近傍にコンセント８を取り付ければ、機器配線７０を電気機器７から遠く離れたコンセントまで引き込む必要がなく、機器配線７０の接続が非常に容易なものとなる。
更にカバー９１によって、ダクト部９内をつたうコンセント配線８０がキャビネット本体２側から見えず、ダクト部９内への埃などの侵入を防ぐとともに、外観をすっきりと構成することができる。
そしてコンセント配線８０はダクト部９内をつたってダクト部９の下端へ引き込んだ後、空洞スペース２５内に引き込むよう構成されているので、コンセント配線８０が長く余剰した部分があっても、その余剰部分を空洞スペース２５内に集約しておくことができる。この空洞スペース２５の手前側は台輪部２４で塞がられているので、外側からみえることがなく、余剰したコンセント配線８０が集約されていても、収納キャビネット１の外観性を損なうことがない。
【００２６】
なお、ダクト部９の設けられる位置は棚板４の奥方角部に限定されず、ダクト部８が目立たない構成とすれば、奥方中央に設けてもよい。またダクト部９の形状、構成は図例に限定されず、ダクト部９に導線が配されたいわゆる配線ダクトとしてもよい。この場合も、ダクト部９に対して上下位置変更可能に取り付けることができる。またこの場合はコンセント８には配線ダクトの両側に配された導線から電力供給がなされるため、コンセント８のコンセント配線８０が存在しないことになる。よって、配線ダクトを用いる場合は、コンセント配線８０をダクト部９内に配線する手間が省ける。
更に図例では１つのコンセント８の差込口８ａが１つの場合を示しているが、これに限定されず、１つのコンセント８に複数の差込口８ａを備えたものとしてもよい。これによれば、例えば上段部４０に複数の電気機器７を設置することができる。
【００２７】
次に、以上により構成される収納キャビネット１の配線構造におけるコンセント８の取付手順及び電気機器７の配線手順を説明する。ここではすでにキャビネット本体２内に棚板４、配線受け部６及びダクト部９が設けられているとして説明する。
まずダクト部９の嵌め込み溝９２を開口状態とし、その状態でコンセント配線８０をダクト部９の中空部９０内に通す。ダクト部９の中空部９０を這わせたコンセント配線８０を、ダクト部９の下端から台輪部２４の空洞スペース２５内に引き込んでおく。この状態で、配線受け部６の近傍に位置するダクト部９の高さ位置の嵌め込み溝９２に、上段部４０側のコンセント８を嵌め込む。同じ要領で下段部４１側のコンセント８を所望のダクト部９の高さ位置に嵌め込む。
ダクト部９の下端から台輪部２４の空洞スペース２５内を引き込んでおいたコンセント配線８０を背板２２の台輪部領域に形成された壁側取り出し口２２ａから引き出し、壁面１１などに設けられたコンセントに接続する。
以上により、コンセント８が一次電源と電気的に接続され、キャビネット本体２に設けられたコンセント８からの電力供給が可能な状態となる。コンセント８の取り付けが完了したら、上段部４０のコンセント８と下段部４１のコンセント８との間の嵌め込み溝９２にカバー９１を嵌め入れる。コンセント８の取り付けが完了したら、収納キャビネット１を壁面１１に近接させて設置する。
【００２８】
そして棚板４或いは底板２３に電気機器７を置く。このとき、棚板４の奥方には配線受け部６が設けられているので、電気機器７の裏側に配されている機器配線７０のプラグ７１が、コンセント８の差込口８ａ側へ向くように（図３、Ａ部大図参照）機器配線７を集約し、配線受け部６の凹所６２に余剰した機器配線７を収容する（図１、図３参照）。ここで先に機器配線７０の余剰した部分をまとめて配線受け部６の凹所６２に収容してから電気機器７を棚板４の上に置いてもよい。
そしてプラグ７１の刃７１ａをコンセント８の差込口８ａに差し込むと電気的に接続され電気機器７に電力を供給することができる。
【００２９】
これによれば、配線受け部６の近傍にコンセント８を取り付けられているので、上述したように機器配線７０を遠く離れたコンセントまで引き込む必要がなく、機器配線７０の接続作業が非常に容易にできる。また上述の説明からもわかるようにコンセント８からの電力供給が可能な状況にセッティングができていれば、機器配線７０の接続作業が容易なので、棚板４の上に置く電気機器７を変更したり、電気機器７を取り外して移動させることなどが容易にできる。
なお、コンセント８の取付手順及び電気機器７の配線手順は上述の手順に限定されるものではなく、一例を説明したにすぎず、下段部４１のコンセント８を先に取り付けてもよい。
【００３０】
なお、以上の実施形態では、２個の構成が異なる収納キャビネット１を並列に設置してなるシステムキャビネットＳとして示しているが、本発明はこの構成に限定されるものではなく、単体の収納キャビネット１或いは３個以上で構成されるシステムキャビネットＳにも適用可能である。
また収納キャビネット１、キャビネット本体２、カウンター３、棚板４、配線受け部６、コンセント８、ダクト部９などの形状、大きさ、構成は図例に限定されるものではない。例えば、配線受け部６の前側部６０に複数並列に切込溝部を形成し、配線受け部６に引き込んだ機器配線７０の導入部分の動きを規制するようにしてもよい。
さらに収納キャビネット１は置き設置タイプのものに限定されず、吊り施工タイプのものでもよく、収納キャビネット１の前面に取り付けられる扉体５の配置も図例に限定されず、自由に配置可能に構成されたものとしてもよいことはいうまでもない。
【符号の説明】
【００３１】
１      収納キャビネット
２      キャビネット本体
７      電気機器
７０      機器配線
８      コンセント
９      ダクト部
【図１】
2010252856.tif 000003
【図２】
2010252856.tif 000004
【図３】
2010252856.tif 000005
【図４】
2010252856.tif 000006